(57)【特許請求の範囲】
【請求項１】
トナー画像の形成される感光体を有する画像形成ユニットが着脱可能に装着される画像形成装置において、
前記画像形成ユニットの壁面に沿って配置され、露光ヘッドを前記感光体と対向させて支持するヘッド取付部と、
前記支持された露光ヘッドを前記感光体に対し所定位置に位置決めする位置決め部と、
前記壁面の所定位置に配設されるＲＦＩＤ（Ｒａｄｉｏ  Ｆｒｅｑｕｅｎｃｙ  Ｉｄｅｎｔｉｆｉｃａｔｉｏｎ）タグと、
前記ヘッド取付部の前記ＲＦＩＤタグと対向する位置に配設され、該ＲＦＩＤタグに対し無線を介して通信するＲＦＩＤユニットと、
前記ＲＦＩＤユニットを制御する制御信号と前記露光ヘッドへ送出する露光信号との送信に共通に用いる送信線と、
前記送信線で送信すべき信号を解析し、前記ＲＦＩＤユニット及び前記露光ヘッドのいずれかを信号の送信先として決定する送信先制御部と、
を含むことを特徴とする画像形成装置。
【発明の詳細な説明】
【技術分野】
【０００１】
本発明は、ＲＦＩＤ（Ｒａｄｉｏ  Ｆｒｅｑｕｅｎｃｙ  Ｉｄｅｎｔｉｆｉｃａｔｉｏｎ）タグを有するトナーカートリッジの使用が可能な画像形成装置に関する。
【背景技術】
【０００２】
近年、ＲＦＩＤタグを有するトナーカートリッジを装着し、トナー残量の管理などを可能とする画像形成装置が普及している。従来この種の画像形成装置では、トナーカートリッジの上部にＲＦＩＤタグが配設され、装置のアッパーカバーの上記ＲＦＩＤタグが対向する位置にＲＦＩＤアンテナが配設されている（特許文献１の図６参照）。かかる構成に基づいて、ＲＦＩＤタグとＲＦＩＤアンテナとが無線を介して通信し、トナー残量の管理などが実行される。
【特許文献１】特開２００６−２６７５２８号公報
【発明の開示】
【発明が解決しようとする課題】
【０００３】
しかしながら、上記構成の画像形成装置では、ＲＦＩＤタグとＲＦＩＤアンテナ間の距離の精度や、相対位置の精度が出ないために通信エラーが発生しやすいという解決すべき課題が残されていた。特に、Ｙ（イエロー）／Ｍ（マゼンタ）／Ｃ（シアン）／Ｋ（ブラック）４色の画像形成ユニットを備える画像形成装置に於いて、カラー印刷時とモノクロ印刷時では、Ｋを除く３色の画像形成ユニットを上下させることになり、その繰り返しにより上記距離や相対位置の精度を維持させることが困難であった。
【課題を解決するための手段】
【０００４】
本発明は、トナー画像の形成される感光体を有する画像形成ユニットが着脱可能に装着される画像形成装置において、前記画像形成ユニットの壁面に沿って配置され、露光ヘッドを前記感光体と対向させて支持するヘッド取付部と、前記支持された露光ヘッドを前記感光体に対し所定位置に位置決めする位置決め部と、前記壁面の所定位置に配設されるＲＦＩＤ（Ｒａｄｉｏ  Ｆｒｅｑｕｅｎｃｙ  Ｉｄｅｎｔｉｆｉｃａｔｉｏｎ）タグと、前記ヘッド取付部の前記ＲＦＩＤタグと対向する位置に配設され、該ＲＦＩＤタグに対し無線を介して通信するＲＦＩＤユニットと、前記ＲＦＩＤユニットを制御する制御信号と前記露光ヘッドへ送出する露光信号との送信に共通に用いる送信線と、
前記送信線で送信すべき信号を解析し、前記ＲＦＩＤユニット及び前記露光ヘッドのいずれかを信号の送信先として決定する送信先制御部と、を含むことを特徴とする。
【発明の効果】
【０００５】
本発明では、露光ヘッドは画像形成ユニットに対し正確に位置決めされ、感光体の回転による画像形成ユニットの振動や歪みの影響も最低限に抑えられている。従って、ＲＦＩＤタグとＲＦＩＤユニットとの距離精度や相対位置の精度を維持することが容易になる。その結果、ＲＦＩＤタグとＲＦＩＤユニット間での通信品質を向上させることが出来るという効果をえる。
【発明を実施するための最良の形態】
【０００６】
以下、本発明の実施形態について図を用いて詳細に説明する。
【実施例１】
【０００７】
図１は、本発明の画像形成装置の概略構成図である。
この図は、本発明の画像形成装置の概略動作を説明するための図である。
図２は、画像形成ユニット近傍の拡大図である。
この図は、本発明の画像形成装置の構成について詳細に説明するための図である。
両図を併用しながら本発明の画像形成装置の構成と概略動作とについて説明する。
【０００８】
本発明による画像形成装置１は、一例としてカラープリンタを例示しているので、Ｙ（イエロー）／Ｍ（マゼンタ）／Ｃ（シアン）／Ｋ（ブラック）４色のトナー像を形成し、用紙上への転写を可能にする画像形成ユニット６を４セット備える。この画像形成ユニット６は、画像形成装置１に着脱可能に装着されている。
【０００９】
用紙トレイ２に載置された用紙３が、図示しない給紙ローラによりベルトユニット４に供給される。ベルトユニット４は、供給された用紙３を定着器ユニット５に向けて搬送する。搬送途中でＹ（イエロー）／Ｍ（マゼンタ）／Ｃ（シアン）／Ｋ（ブラック）４色の画像形成ユニット６により積層状態に形成されたトナー像が、転写ローラ１５により用紙３の上に転写される。用紙３上に転写されたトナー像は、定着器ユニット５で、高温加熱により用紙３上に定着され排出される。
【００１０】
図に示すように、本発明による画像形成ユニット６では、ＲＦＩＤタグ７が、画像形成ユニット６の側壁に内設され、画像形成ユニット６から容易に取り出せない構造になっている。このＲＦＩＤタグ７は、その内部に、固有のタグ番号や、感光体ドラム１４の累積回転数や、この累積回転数に基づいて算出されるトナー残量などの情報が書き込まれるメモリ領域を有する半導体素子である。
【００１１】
ＲＦＩＤユニット９は、その内部に送受信回路と送受信アンテナを備え（後述する）、ＲＦＩＤタグ７と通信可能なユニットである。このＲＦＩＤユニット９は、後述するＬＥＤヘッド取付け部１０の側面のＲＦＩＤタグ７と対向する位置に配設されている。ＲＦＩＤタグ７とＲＦＩＤユニット９とは、無線を介して通信し、上記情報の書き込みや読出しを行って、トナー残量の管理などが実行される。
【００１２】
ＬＥＤヘッド取付け部１０は、その内部で摺動可能な状態にＬＥＤヘッド１１を支持する外枠である。このＬＥＤヘッド取付け部１０は、アッパーカバー１３に固設されている。従って、アッパーカバー１３を開閉するときにアッパーカバー１３と一体になって上下移動することになる。この状態は後に他の画を用いて再度説明する。
【００１３】
以上説明したように、本発明では、ＲＦＩＤタグ７が、画像形成ユニット６の側壁に、容易に取り外し出来ないように内設され、ＲＦＩＤユニット９は、ＬＥＤヘッド取付け部１０の側面のＲＦＩＤタグ７と対向する位置に配設されている。ここで、ＬＥＤヘッド取付け部１０と画像形成ユニット６との位置関係は、印字精度を向上させるために、従来から細心の注意が払われていることに留意すべきである。
【００１４】
従って、ＲＦＩＤタグ７を画像形成ユニット６の側壁に内設し、ＲＦＩＤユニット９をＬＥＤヘッド取付け部１０の側面のＲＦＩＤタグ７と対向する位置に配設することによって、両者の距離精度や相対位置の精度を出すことが極めて容易になる。両者の距離精度や相対位置の精度を上げることは、両者間における無線を介する通信品質の向上に繋がる。
【００１５】
ここで、ＬＥＤヘッド１１と画像形成ユニット６との位置関係を正確に保持するために採用されている構成の１つである位置決めポスト１２の構成及び機能について他の図を用いて説明する。
【００１６】
図３は、ＬＥＤヘッド近傍の拡大図である。
（ａ）は、底面図であり、ＬＥＤヘッド１１が画像形成ユニット６の感光体ドラム１４に対向する面を表している。図に於いて３０は、レンズアレイであり、主走査方向のＬＥＤドット数に該当する数量のＬＥＤが並んでいる。レンズアレイ３０の両端には、真円穴３１ａと小判穴３１ｂとが配設されている。
【００１７】
（ｂ）は、側面図であり、アッパーカバー１３（図１）が閉じられ、位置決めポスト１２ａが真円穴３１ａと、位置決めポスト１２ｂが小判穴３１ｂと、それぞれ嵌合し、ＬＥＤヘッド１１が画像形成ユニット６に嵌合した状態を表している。図に示すように、アッパーカバー１３を完全に閉めると、バネ３５ａ、及びバネ３５ｂがＬＥＤヘッド取付け部１０（図２）にＬＥＤヘッド１１をバネ圧で固定することになる。バネ３５ａ、及びバネ３５ｂは、ＬＥＤヘッド取付け部１０に配設されている図示しないブラケットにより押圧される。このようにしてＬＥＤヘッド１１、及びＬＥＤヘッド取付け部１０(図２)は正確に位置決めされる。
【００１８】
更に、上記のようにＹ（イエロー）／Ｍ（マゼンタ）／Ｃ（シアン）／Ｋ（ブラック）４色の画像形成ユニットを備える画像形成装置では、カラー印刷時とモノクロ印刷時では、Ｋを除く３色の画像形成ユニットを上下させることになるが、かかる場合においても、ＬＥＤヘッド１１と画像形成ユニット６との位置関係は正確に保持されることになる。
【００１９】
図中３２は、ＬＥＤヘッド基板であり、３３は、ＲＦＩＤユニット９をＬＥＤヘッド基板３２に搭載するコネクタでありＬＥＤヘッド基板３２にハンダ付けされている。ＲＦＩＤユニット９は、このコネクタ３３に装着されることにより正確に位置決めされる。但し、ＲＦＩＤユニット９は、ＬＥＤヘッド取付け部１０(図２)の側壁に配設し、上記コネクタ３３を介さずにＬＥＤヘッド基板３２にリード線などを介して接続しても良い。３４は、ＬＥＤヘッド基板３２とＬＥＤヘッドケーブル８とを接続するコネクタでありＬＥＤヘッド基板３２にハンダ付けされている。このＬＥＤヘッドケーブル８を介してＬＥＤヘッド１１のビット情報や、ＲＦＩＤタグへの書き込み、読出し情報等が送受信されることになる。
【００２０】
以上説明したように、ＬＥＤヘッド取付け部１０と画像形成ユニット６とは正確に位置決めされ、モノクロ印刷とカラー印刷との変更時における、Ｋを除く３色の画像形成ユニットを上下させる場合においても、感光体ドラム１４の回転においても、画像形成ユニット６の振動や歪みの影響も最低限に抑えられることになる。即ち、ＲＦＩＤタグ７とＲＦＩＤユニット９との距離精度や相対位置の精度を出すことが容易になる。
【００２１】
図１及び図２に戻って、ＬＥＤヘッド１１は、上位装置からドット信号を受け入れて感光体ドラム１４の表面に照射して静電潜像を形成する部分である。アッパーカバー１３は、画像形成装置１の装置カバーであり、画像形成ユニット６の交換時などには開閉される、装置の上蓋である。このアッパーカバー１３には、上記のようにＬＥＤヘッド取付け部１０が固設されている。アッパーカバー１３を開閉するときにアッパーカバー１３とＬＥＤヘッド取付け部１０とは一体になって上下移動することになる。この機能について画を用いて再度説明する。
【００２２】
図４は、アッパーカバーの開閉動作説明図である。
この図は、画像形成ユニット６の交換時等にアッパーカバー１３とＬＥＤヘッド取付け部１０とが一体化して動作する状態を図示している。図に示すように、アッパーカバー１３は、画像形成ユニット６の交換時等にθ度回転して開放される。このときＬＥＤヘッド１１は、位置決めポスト１２ａから分離される。しかし、再度アッパーカバー１３が閉鎖されるとＬＥＤヘッド１１と、位置決めポスト１２ａは嵌合され位置決めされる。このときＬＥＤヘッド取付け部１０の側面(図の裏側に該当する)に配設されているガイドピン１７は、図示しないケース外枠の側面(図の表側に該当する)に形成されている位置決めガイド１６にそって所定の位置にガイドされることになる。
【００２３】
次に画像形成装置の制御系統について説明する。
図５は、実施例１の画像形成装置の制御系統ブロック図である。
図に示すように、実施例１の画像形成装置１の制御系統４０は、ＣＰＵ４１と、ＲＯＭ４２と、ＲＡＭ４３と、ＬＳＩ４４とを備える。
【００２４】
ＣＰＵ４１は、ＲＯＭ４２に予め格納されている制御プログラムを実行することによって、画像データの処理、及び、装置全体を制御する中央演算制御素子である。ＲＯＭ４２は、ＣＰＵ４１が実行することによって画像データの処理、及び、装置全体の動作を制御する、制御プログラムを予め格納するリードオンリメモリである。
【００２５】
ＲＡＭ４３は、ＣＰＵ４１がＲＯＭ４２に予め格納されている制御プログラムを実行することによって画像データの処理、及び、装置全体の動作を制御するときに必要になる演算領域を提供するランダムアクセスメモリである。
【００２６】
ＬＳＩ４４は、ＣＰＵ４１が、ＬＥＤヘッド１１、及びＲＦＩＤユニット９と通信するための信号処理に必要な大規模ＩＣである。ＬＥＤヘッドケーブル８は、ＬＳＩ４４とＬＥＤヘッド１１とを接続するケーブル４５と、ＬＳＩ４４とＲＦＩＤユニット９とを接続するケーブル４６を含む通信線である。両ケーブルともＹ（イエロー）／Ｍ（マゼンタ）／Ｃ（シアン）／Ｋ（ブラック）４色の画像形成ユニット６にそれぞれ一対として接続されている。
【００２７】
図６は、ＲＦＩＤユニットの機能ブロック図である。
図に示すように、ＲＦＩＤユニット９は、コネクタ５０と、制御部５１と、送信回路５２と、受信回路５３と、送受信アンテナ５４とを備える。
【００２８】
コネクタ５０は、ＲＦＩＤユニット９をＬＥＤヘッド１１（図５）に接続するコネクタである。制御部５１は、ＲＦＩＤユニット９全体を制御する部分である。送信回路５２は、制御部５１の制御に基づいて、ＲＦＩＤタグ７への書き込み情報等の送信信号を生成する回路である。更に、送受信アンテナ５４を介して送信信号を無線送信するための信号変調回路でもある。
【００２９】
受信回路５３は、制御部５１の制御に基づいて、送受信アンテナ５４を介してＲＦＩＤタグ７から受信信号を受け入れる回路である。更に、受信信号を復調してＲＦＩＤタグ７の読出情報等を取得する回路でもある。
【００３０】
送受信アンテナ５４は、ＲＦＩＤタグ７と、無線を介して通信するための無線アンテナである。この送受信アンテナ５４を介して、ＲＦＩＤタグ７内の情報が受信されたり、ＲＦＩＤタグ７に書き込まれる情報が送信されたりすることになる。
【００３１】
ＲＦＩＤユニットは以下のように動作する。
図７は、ＲＦＩＤユニットの動作フローチャートである。
ステップＳ１からステップＳ４まで図５、及び図６を併用しながらステップ順にＲＦＩＤユニットの動作について説明する。
【００３２】
ステップＳ１
画像形成装置１の制御系統４０の制御に基づいて、制御部５１は、Ｙ（イエロー）／Ｍ（マゼンタ）／Ｃ（シアン）／Ｋ（ブラック）４色の画像形成ユニット６（図１）に内設されているそれぞれのＲＦＩＤタグ７と無線を介して通信し、通信に異常が発生しないかどうかについてチェックする。
【００３３】
ステップＳ２
制御部５１が、Ｙ（イエロー）／Ｍ（マゼンタ）／Ｃ（シアン）／Ｋ（ブラック）４色、何れかの画像形成ユニット６（図１）に内設されているＲＦＩＤタグ７との通信に於いて誤通信を検出した場合にはステップＳ４へ進む。何れの画像形成ユニット６（図１）からも、誤通信を検出しないときはステップＳ３へ進む。
【００３４】
ステップＳ３
制御部５１が、Ｙ（イエロー）／Ｍ（マゼンタ）／Ｃ（シアン）／Ｋ（ブラック）４色、何れの画像形成ユニット６（図１）にもエラーがないと判断した場合なので、電源投入時であれは、各色のＲＦＩＤタグ７の情報を読込む。印刷時であれば、各画像形成ユニット６（図１）におけるトナー使用量（感光体ドラム１４の回転数）等を消耗品寿命情報としてＲＦＩＤタグ７に書き込んで画像形成装置１の制御系統４０へ通知する。画像形成装置１の制御系統４０の制御に基づいて制御部５１はフローを正常終了する。
【００３５】
ステップＳ４
制御部５１が、Ｙ（イエロー）／Ｍ（マゼンタ）／Ｃ（シアン）／Ｋ（ブラック）４色、何れかの画像形成ユニット６（図１）にエラーありと判断した場合なので、その旨画像形成装置１の制御系統４０へ通知する。画像形成装置１の制御系統４０は図示しないオペレーションパネルにエラー表示する。画像形成装置１の制御系統４０の制御に基づいて制御部５１はフローを異常終了する。
【００３６】
以上説明したように、本実施例によれば、ＲＦＩＤタグ７が、画像形成ユニット６の側壁に内設され、ＲＦＩＤユニット９は、ＬＥＤヘッド取付け部１０の側面のＲＦＩＤタグ７と対向する位置に配設されるので、ＲＦＩＤタグ７とＲＦＩＤユニット９との距離精度や相対位置の精度を出すことが容易になるという効果を得る。
【００３７】
又、ＬＥＤヘッド１１と画像形成ユニット６とは正確に位置決めされ、感光体ドラム１４の回転による画像形成ユニット６の振動や歪みの影響も最低限に抑えられることになるので、ＲＦＩＤタグ７とＲＦＩＤユニット９との距離精度や相対位置の精度を維持することが容易になるという効果をえる。
【００３８】
又、ＬＥＤヘッド取付け部１０及びＬＥＤヘッド１１と画像形成ユニット６とは正確に位置決めされるので、アッパーカバー１３の開閉時に画像形成ユニット６が正しくセットされない場合や、カラー印刷からモノクロ印刷への変更、及びモノクロ印刷から印刷への変更時に画像形成ユニット６をアップダウンさせることにより発生するＲＦＩＤタグ７とＲＦＩＤユニット９との距離精度や相対位置の精度の劣化を排除できるという効果を得る。
【００３９】
更に、両者の距離精度や相対位置の精度を上げること、及び、その精度を維持することが可能になり、両者間における無線を介する通信品質を向上させることが出来るという効果を得る。
【実施例２】
【００４０】
上記実施例１では、ＬＥＤヘッドケーブル８は、図５に示すようにＬＳＩ４４とＬＥＤヘッド１１とを接続するケーブル４５と、ＬＳＩ４４とＲＦＩＤユニット９とを接続するケーブル４６と、２種類の通信線を含んでいた。本実施例では、この２種類の信号線を１本のケーブルで兼用する。かかる目的を達成するために本実施例による画像形成装置の制御系統は以下のように構成される。
【００４１】
図８は、実施例２の画像形成装置の制御系統のブロック図である。
図に示すように、実施例２の画像形成装置の制御系統９０は、ＣＰＵ４１と、ＲＯＭ４２と、ＲＡＭ４３と、ＬＳＩ９４とを備える。以下に実施例１との相違部分のみについて説明する。実施例１と同様の部分については実施例１と同一の符号を付して説明を省略する。
【００４２】
ＣＰＵ４１は、ＲＯＭ４２に予め格納されている制御プログラムを実行することによって、画像データの処理、及び、装置全体を制御する中央演算制御素子である。ＲＯＭ４２は、ＣＰＵ４１が実行することによって画像データの処理、及び、装置全体の動作を制御する、制御プログラムを予め格納するリードオンリメモリである。
【００４３】
ＲＡＭ４３は、ＣＰＵ４１がＲＯＭ４２に予め格納されている制御プログラムを実行することによって画像データの処理、及び、装置全体の動作を制御するときに必要になる演算領域を提供するランダムアクセスメモリである。
【００４４】
ＬＳＩ９４は、その内部に信号送受信部９４Ｙを含み、ＣＰＵ４１が、ＬＥＤヘッド１１０Ｙ（その内部にＲＦＩＤユニット９を含む）と通信するために必要な大規模ＩＣである。以下の説明では種々の構成部分は、Ｙ（イエロー）／Ｍ（マゼンタ）／Ｃ（シアン）／Ｋ（ブラック）の４色分を含んでいるが、全て同一構成なので以後Ｙ色のみについて説明し、他の色については説明を省略する。
【００４５】
信号送受信部９４Ｙは、ＣＰＵ４１とＬＥＤヘッド１１０Ｙとの間で送信信号と受信信号とを識別してインターフェースする部分である。ＬＥＤヘッドケーブル９８Ｙは、ＬＳＩ９４とＬＥＤヘッド１１０Ｙとを接続する送受信共通の通信線である。
【００４６】
更に、図に示すように、実施例２の画像形成装置のＬＥＤヘッド１１０Ｙは、ＲＦＩＤユニット９Ｙと、Ｈｅａｄ  ＬＳＩ９５Ｙと、ＥＥＰＲＯＭ９６Ｙと、ＬＥＤ  Ｄｒｉｖｅｒ９７Ｙとを備える。
【００４７】
ＥＥＰＲＯＭ９６Ｙは、ＬＥＤヘッド１１０Ｙのドット補正信号を予め格納するリードオンリメモリである。ＲＦＩＤユニット９Ｙは、実施例１と同様に、その内部に送受信回路と送受信アンテナを備え、ＲＦＩＤタグ７と通信可能なユニットである。
【００４８】
Ｈｅａｄ  ＬＳＩ９５Ｙは、制御系統９０とＬＥＤヘッド１１０Ｙとの間で送受信される信号のコマンドを解析し、ＥＥＰＲＯＭ９６Ｙ、ＲＦＩＤユニット９Ｙ、及びＬＥＤ  Ｄｒｉｖｅｒ９７Ｙとの間で送受信する信号の激突防止を制御する部分である。この制御の内容については後述する。以下にＨｅａｄ  ＬＳＩ９５Ｙの内部構成について説明する
【００４９】
図９は、Ｈｅａｄ  ＬＳＩのブロック構成図である。
図に示すように、Ｈｅａｄ  ＬＳＩ９５Ｙは、ＥＥＰＲＯＭ  Ｒ／Ｗ部９５ａと、ＲＦＩＤ  Ｒ／Ｗ部９５ｂと、データ転送部９５ｃと、コマンド解析部９５ｄとを備える。ＥＥＰＲＯＭ  Ｒ／Ｗ部９５ａは、コマンド解析部９５ｄの制御に基づいてＥＥＰＲＯＭ９６Ｙ（図８）からドット補正情報を読み出す部分である。
【００５０】
ＲＦＩＤ  Ｒ／Ｗ部９５ｂは、コマンド解析部９５ｄの制御に基づいてＲＦＩＤユニット９Ｙ（図８）と接続してＲＦＩＤタグ７Ｙと消耗品寿命情報等の送受信を実行させる部分である。データ転送部９５ｃは、コマンド解析部９５ｄの制御に基づいてドットデータをレンズアレイ３０（図３）へ送出してＬＥＤドットを点灯させる部分である。
【００５１】
コマンド解析部９５ｄは、上記したように、制御系統９０とＬＥＤヘッド１１０Ｙとの間で送受信される信号のコマンドを解析し、ＥＥＰＲＯＭ９６Ｙ、ＲＦＩＤユニット９Ｙ、及びＬＥＤ  Ｄｒｉｖｅｒ９７Ｙとの間で送受信する信号の激突防止を制御する部分である。
【００５２】
以下にタイムチャートを用いて実施例２の画像形成装置の制御方法についてＨｅａｄ  ＬＳＩの動作を中心にして説明する。
図１０は、実施例２の画像形成装置の制御信号のタイムチャートである。
図では、縦方向に上から順に（１）装置状態、（２）Ｈｅａｄ  ＬＳＩが受信するデータ、（３）Ｈｅａｄ  ＬＳＩが送信するデータ、（４）時刻が項目として設定され、横方向に各項目に共通の時間経過が表されている。
【００５３】
以下に図の時刻順に基づいて画像形成装置の制御方法について図８を併用しながら説明する。
［時刻Ｔ０］
画像形成装置の電源スイッチがＯＮされるか、又は、既に電源がＯＮされている場合にはアッパーカバー１３（図１）が開状態から閉状態になる。
【００５４】
［時刻Ｔ１］
Ｈｅａｄ  ＬＳＩ９５Ｙは、制御系統９０からＬＥＤヘッドケーブル９８Ｙを介してＨｅａｄ  ＲＤコマンドを受信する。
【００５５】
［時刻Ｔ２］
Ｈｅａｄ  ＬＳＩ９５Ｙは、ＬＥＤヘッドケーブル９８Ｙを介してＨｅａｄ  Ｄａｔａ（レスポンス）を制御系統９０へ返信する。ＣＰＵ４１がこのレスポンスを異常なしと認識すると以下に続く制御が開始される。
【００５６】
［時刻Ｔ３］
Ｈｅａｄ  ＬＳＩ９５Ｙは、ＬＥＤヘッドケーブル９８Ｙを介して制御系統９０からＲＦＩＤ  ＲＤコマンドを受信する。Ｈｅａｄ  ＬＳＩ９５ＹはＲＦＩＤ  ＲＤコマンドを解析し、ＲＦＩＤユニット９Ｙに対してＲＦＩＤタグ７ＹのＲＦＩＤ情報の読出しを実行させることになる。
【００５７】
［時刻Ｔ４］
Ｈｅａｄ  ＬＳＩ９５Ｙは、ＬＥＤヘッドケーブル９８Ｙを介して制御系統９０へＲＦＩＤから読み出したＲＦＩＤ  Ｄａｔａを送信する。
【００５８】
［時刻Ｔ５］
制御系統９０は、図示しない上位装置から印刷データの受信を開始する。この時点ではＨｅａｄ  ＬＳＩ９５Ｙは、特に動作せずに待機している。
【００５９】
［時刻Ｔ６］
Ｈｅａｄ  ＬＳＩ９５Ｙは、ＬＥＤヘッドケーブル９８Ｙを介して制御系統９０から、ＥＥＰＲＯＭ  ＲＤコマンドを受信する。Ｈｅａｄ  ＬＳＩ９５Ｙは、ＥＥＰＲＯＭ９６Ｙからドット補正情報（ＥＥＰＲＯＭ  Ｄａｔａ）を読み出すことになる。
【００６０】
［時刻Ｔ７］
Ｈｅａｄ  ＬＳＩ９５Ｙは、ＥＥＰＲＯＭ９６Ｙから読み出したドット補正情報（ＥＥＰＲＯＭ  Ｄａｔａ）を、ＬＥＤヘッドケーブル９８Ｙを介して制御系統９０へ送信する。
【００６１】
［時刻Ｔ８］
Ｈｅａｄ  ＬＳＩ９５Ｙは、ＬＥＤヘッドケーブル９８Ｙを介して制御系統９０からＨｅａｄ  Ｄａｔａの受信を開始する。このＨｅａｄ  Ｄａｔａは、制御系統９０が、上記時刻Ｔ７で受信したドット補正情報（ＥＥＰＲＯＭ  Ｄａｔａ）に基づいて、上記時刻Ｔ５で上位装置から受け入れた印刷データを補正したものである。この時点でＨｅａｄ  ＬＳＩ９５Ｙは、Ｈｅａｄ  ＤａｔａをＬＥＤ  Ｄｒｉｖｅｒ９７Ｙへ送出を開始する。従って、印刷が開始されることになる。
【００６２】
［時刻Ｔ９］
Ｈｅａｄ  ＬＳＩ９５Ｙは、ＬＥＤヘッドケーブル９８Ｙを介して制御系統９０からのＨｅａｄ  Ｄａｔａの受信を終了する。従って、印刷が終了されることになる。
【００６３】
［時刻Ｔ１０］
Ｈｅａｄ  ＬＳＩ９５Ｙは、ＬＥＤヘッドケーブル９８Ｙを介して制御系統９０からＲＦＩＤ  ＷＲコマンドとともに消耗品寿命情報を受信する。Ｈｅａｄ  ＬＳＩ９５Ｙは、受信した消耗品寿命情報をＲＦＩＤタグ７Ｙに書き込んで動作を終了する。
【００６４】
以上説明したように、本実施例によれば、ＬＥＤヘッド１１０（Ｙ、Ｍ、Ｃ、Ｋ）の内部にＨｅａｄ  ＬＳＩ９５（Ｙ、Ｍ、Ｃ、Ｋ）を備えることにより、制御系統９０とＬＥＤヘッド１１０（Ｙ、Ｍ、Ｃ、Ｋ）との間で送受信される信号のコマンドを解析し、ＥＥＰＲＯＭ９６（Ｙ、Ｍ、Ｃ、Ｋ）、ＲＦＩＤユニット９（Ｙ、Ｍ、Ｃ、Ｋ）、及びＬＥＤ  Ｄｒｉｖｅｒ９７（Ｙ、Ｍ、Ｃ、Ｋ）との間で送受信する信号の激突防止を制御することが可能になり、実施例１では、ケーブル４５とケーブル４６とを含んでいたＬＥＤヘッドケーブル８を、ＬＥＤヘッドケーブル９８（Ｙ、Ｍ、Ｃ、Ｋ）１本で構成することが出来るという効果を得る。
【産業上の利用可能性】
【００６５】
実施例では、本発明を４色のカラー電子プリンタに適用した場合に限定して説明したが、本発明は、この例に限定されるものでは無い。即ち、モノクロプリンタ、ファクシミリ装置、複写機など、ＬＥＤヘッドと画像形成ユニットとを備えるものであれば適用することが可能である。
【図面の簡単な説明】
【００６６】
【図１】本発明の画像形成装置の概略構成図である。
【図２】画像形成ユニット近傍の拡大図である。
【図３】ＬＥＤヘッド近傍の拡大図である。
【図４】アッパーカバーの開閉動作説明図である。
【図５】実施例１の画像形成装置の制御系統ブロック図である。
【図６】ＲＦＩＤユニットの機能ブロック図である。
【図７】ＲＦＩＤユニットの動作フローチャートである。
【図８】実施例２の画像形成装置の制御系統のブロック図である。
【図９】Ｈｅａｄ  ＬＳＩのブロック構成図である。
【図１０】実施例２の画像形成装置の制御信号のタイムチャートである。
【符号の説明】
【００６７】
４    ベルトユニット
６    画像形成ユニット
７    ＲＦＩＤタグ
８    ＬＥＤヘッドケーブル
９    ＲＦＩＤユニット
１０    ＬＥＤヘッド取付け部
１１    ＬＥＤヘッド
１２ａ    位置決めポスト
１４    感光体ドラム
１５    転写ローラ
【図１】
0004646007.tif 000002
【図２】
0004646007.tif 000003
【図３】
0004646007.tif 000004
【図４】
0004646007.tif 000005
【図５】
0004646007.tif 000006
【図６】
0004646007.tif 000007
【図７】
0004646007.tif 000008
【図８】
0004646007.tif 000009
【図９】
0004646007.tif 000010
【図１０】
0004646007.tif 000011